(57)【要約】      （修正有）【課題】中綴じ処理に関する値を適切に設定する際の手間を軽減する情報処理装置等を提供する。【解決手段】情報処理装置は、中綴じされた記録媒体の属性及び記録媒体に対する中綴じ用の設定値を含む過去の設定情報を取得する設定履歴情報取得部と、中綴じ対象の記録媒体の属性及び取得された過去の設定情報に基づいて、中綴じ対象の記録媒体に対する中綴じ用の設定値を算出する設定値算出部とを含む。また、設定値算出部は、過去の設定情報のうち記録媒体の属性が中綴じ対象の記録媒体の属性と同一である設定情報に含まれる中綴じ用の設定値に基づいて、中綴じ対象の記録媒体に対する中綴じ用の設定値を算出する。【選択図】図１１
2016215526.tif 000002
【特許請求の範囲】
【請求項１】
中綴じされた記録媒体の属性及び前記記録媒体に対する中綴じ用の設定値を含む過去の設定情報を取得する設定履歴情報取得部と、
中綴じ対象の記録媒体の属性及び取得された前記過去の設定情報に基づいて、前記中綴じ対象の記録媒体に対する中綴じ用の設定値を算出する設定値算出部と
を含むことを特徴とする情報処理装置。
【請求項２】
前記設定値算出部は、前記過去の設定情報のうち前記記録媒体の属性が前記中綴じ対象の記録媒体の属性と同一である設定情報に含まれる前記中綴じ用の設定値に基づいて、前記中綴じ対象の記録媒体に対する前記中綴じ用の設定値を算出する
ことを特徴とする請求項１に記載の情報処理装置。
【請求項３】
前記記録媒体の属性は、前記記録媒体のサイズ、厚さ、種類のうちの少なくとも１つを示し、
前記設定値算出部は、前記過去の設定情報のうち前記記録媒体のサイズ、厚さ、種類のうちの少なくとも１つが前記中綴じ対象の記録媒体のサイズ、厚さ、種類を基準とした所定の近似範囲内である設定情報に含まれる前記中綴じ用の設定値に基づいて、前記中綴じ対象の記録媒体に対する中綴じ用の設定値を算出する
ことを特徴とする請求項１に記載の情報処理装置。
【請求項４】
前記設定値算出部は、前記中綴じされた最も外側の記録媒体に対する画像形成領域と最も内側の記録媒体に対する画像形成領域とのずれ量を、前記中綴じ用の設定値として算出する
ことを特徴とする請求項１〜３のいずれか１項に記載の情報処理装置。
【請求項５】
前記設定値算出部は、前記中綴じされた記録媒体の綴じ側とは逆側の端部を揃えるための記録媒体の断裁量を、前記中綴じ用の設定値として算出する
ことを特徴とする請求項１〜４のいずれか１項に記載の情報処理装置。
【請求項６】
前記過去の設定情報の中から前記中綴じ対象の記録媒体の属性に基づいて取得された複数の前記設定情報の一覧を表示部に表示させる一覧表示制御部
を含み、
前記設定値算出部は、表示された前記複数の設定情報の一覧から選択された前記設定情報に含まれる前記中綴じ用の設定値を、前記中綴じ対象の記録媒体に対する前記中綴じ用の設定値として取得する
ことを特徴とする請求項１〜５のいずれか１項に記載の情報処理装置。
【請求項７】
前記一覧表示制御部は、前記複数の設定情報を使用回数の多い順に並べて前記表示部に表示させる
ことを特徴とする請求項６に記載の情報処理装置。
【請求項８】
前記過去の設定情報に基づいて、過去の前記中綴じ用の設定値の設定範囲を表示部に表示させる設定表示制御部
を含むことを特徴とする請求項１〜７のいずれか１項に記載の情報処理装置。
【請求項９】
中綴じされた記録媒体の属性及び前記記録媒体に対する中綴じ用の設定値を含む過去の設定情報を取得ステップと、
中綴じ対象の記録媒体の属性及び取得された前記過去の設定情報に基づいて、前記中綴じ対象の記録媒体に対する中綴じ用の設定値を算出するステップと
を情報処理装置に実行させることを特徴とする制御プログラム。
【請求項１０】
前記設定値を算出するステップにおいて、前記過去の設定情報のうち前記記録媒体の属性が前記中綴じ対象の記録媒体の属性と同一である設定情報に含まれる前記中綴じ用の設定値に基づいて、前記中綴じ対象の記録媒体に対する前記中綴じ用の設定値を算出する
ことを特徴とする請求項９に記載の制御プログラム。
【請求項１１】
前記記録媒体の属性は、前記記録媒体のサイズ、厚さ、種類のうちの少なくとも１つを示し、
前記設定値を算出するステップにおいて、前記過去の設定情報のうち前記記録媒体のサイズ、厚さ、種類のうちの少なくとも１つが前記中綴じ対象の記録媒体のサイズ、厚さ、種類を基準とした所定の近似範囲内である設定情報に含まれる前記中綴じ用の設定値に基づいて、前記中綴じ対象の記録媒体に対する中綴じ用の設定値を算出する
ことを特徴とする請求項９に記載の制御プログラム。
【請求項１２】
前記設定値を算出するステップにおいて、前記中綴じされた最も外側の記録媒体に対する画像形成領域と最も内側の記録媒体に対する画像形成領域とのずれ量を、前記中綴じ用の設定値として算出する
ことを特徴とする請求項９〜１１のいずれか１項に記載の制御プログラム。
【請求項１３】
前記設定値を算出するステップにおいて、前記中綴じされた記録媒体の綴じ側とは逆側の端部を揃えるための記録媒体の断裁量を、前記中綴じ用の設定値として算出する
ことを特徴とする請求項９〜１２のいずれか１項に記載の制御プログラム。
【請求項１４】
前記過去の設定情報の中から前記中綴じ対象の記録媒体の属性に基づいて取得された複数の前記設定情報の一覧を表示部に表示させるステップ
を情報処理装置に実行させ、
前記設定値を算出するステップにおいて、表示された前記複数の設定情報の一覧から選択された前記設定情報に含まれる前記中綴じ用の設定値を、前記中綴じ対象の記録媒体に対する前記中綴じ用の設定値として取得する
ことを特徴とする請求項９〜１３のいずれか１項に記載の制御プログラム。
【請求項１５】
前記表示させるステップにおいて、前記複数の設定情報を使用回数の多い順に並べて前記表示部に表示させる
ことを特徴とする請求項１４に記載の制御プログラム。
【請求項１６】
前記過去の設定情報に基づいて、過去の前記中綴じ用の設定値の設定範囲を表示部に表示させるステップ
を情報処理装置に実行させることを特徴とする請求項９〜１５のいずれか１項に記載の制御プログラム。
【請求項１７】
中綴じされた記録媒体の属性及び前記記録媒体に対する中綴じ用の設定値を含む過去の設定情報を取得する設定履歴情報取得部と、
中綴じ対象の記録媒体の属性及び取得された前記過去の設定情報に基づいて、前記中綴じ対象の記録媒体に対する中綴じ用の設定値を算出する設定値算出部と
を含むことを特徴とする情報処理システム。
【請求項１８】
中綴じされた記録媒体の属性及び前記記録媒体に対する中綴じ用の設定値を含む過去の設定情報を取得し、
中綴じ対象の記録媒体の属性及び取得された前記過去の設定情報に基づいて、前記中綴じ対象の記録媒体に対する中綴じ用の設定値を算出する
ことを特徴とする情報処理方法。
【請求項１９】
中綴じ用の設定処理を行う情報処理装置と、前記情報処理装置による前記中綴じ用の設定に基づき画像処理を実行する画像処理装置とを含む画像処理システムであって、
前記情報処理装置は、
中綴じされた記録媒体の属性及び前記記録媒体に対する中綴じ用の設定値を含む、前記画像処理装置において用いられた過去の設定情報を取得する設定履歴情報取得部と、
中綴じ対象の記録媒体の属性及び取得された前記過去の設定情報に基づいて、前記中綴じ対象の記録媒体に対する中綴じ用の設定値を算出する設定値算出部と
を含み、
前記画像処理装置は、
算出された前記中綴じ用の設定値に基づいて、前記中綴じ対象の記録媒体に対する画像形成出力用の画像を処理する画像処理部
を含む
ことを特徴とする画像処理システム。
【発明の詳細な説明】
【技術分野】
【０００１】
本発明は、情報処理装置、制御プログラム、情報処理システム、情報処理方法及び画像処理システムに関する。
【背景技術】
【０００２】
プリンタとして機能する画像処理装置において、画像が印刷された用紙を中綴じ処理して、雑誌等に製本する場合がある。中綴じ処理は二つ折りの用紙を重ねるので、綴じた状態において、ページの端部（以降、「小口側」とする）がずれる場合がある。そこで、小口側を揃えるために、表紙／裏表紙ページからセンターページに近づくに従って印刷領域の位置を内側にずらす処理（以降、「クリープ処理」とする）や小口側を断裁する処理（以降、「小口断裁処理」とする）が行われる。
【０００３】
クリープ処理において印刷領域の位置をずらす量（以降、「クリープ値」とする）や小口断裁処理において断裁する用紙幅（以降、「断裁値」とする）の最適な設定値は、用紙の種類やページ数によって異なる。そのため、オペレータが実際に画像処理装置により出力を行いながら、用紙の種類やページ数に合わせてクリープ値や断裁値を手動で調整して適切に設定する必要があり、手間がかかる。そこで、断裁値を効率よく設定することを目的として、設定されたクリープ値と関連付けて断裁値を算出することが提案されている（例えば、特許文献１を参照）。
【発明の概要】
【発明が解決しようとする課題】
【０００４】
特許文献１に開示された技術において断裁値を適切に設定するためには、適切なクリープ値を入力する必要があるので、特許文献１に開示された技術においても、中綴じ処理に関する値の適切な設定には手間がかかる。
【０００５】
本発明は、このような課題を解決するためになされたものであり、中綴じ処理に関する値を適切に設定する際の手間を軽減することを目的とする。
【課題を解決するための手段】
【０００６】
上記課題を解決するために、本発明の一態様は、中綴じされた記録媒体の属性及び前記記録媒体に対する中綴じ用の設定値を含む過去の設定情報を取得する設定履歴情報取得部と、中綴じ対象の記録媒体の属性及び取得された前記過去の設定情報に基づいて、前記中綴じ対象の記録媒体に対する中綴じ用の設定値を算出する設定値算出部とを含むことを特徴とする。
【発明の効果】
【０００７】
本発明によれば、中綴じ処理に関する値を適切に設定する際の手間を軽減することができる。
【図面の簡単な説明】
【０００８】
【図１】本発明の実施形態に係る画像処理システムの運用形態を例示する図である。
【図２】本発明の実施形態に係る画像処理装置のハードウェア構成を例示するブロック図である。
【図３】本発明の実施形態に係る画像処理装置の機能構成を例示するブロック図である。
【図４】本発明の実施形態に係るクライアント端末の機能構成を例示するブロック図である。
【図５】本発明の実施形態に係る設定履歴情報を例示する図である。
【図６】本発明の実施形態に係る中綴じ冊子の小口側のずれを例示する図である。
【図７】本発明の実施形態に係る中綴じ冊子の印刷領域の位置のずれを例示する図である。
【図８】本発明の実施形態に係るＵＩ部の機能構成を例示するブロック図である。
【図９】本発明の実施形態に係る印刷設定画面を例示する図である。
【図１０】本発明の実施形態に係る総ページ入力画面を例示する図である。
【図１１】本発明の実施形態に係るクリープ値の算出処理の動作を例示するフローチャートである。
【図１２】本発明の実施形態に係るクリープ値の算出処理の動作を例示するフローチャートである。
【図１３】本発明の実施形態に係るクリープ値の算出処理の動作を例示するフローチャートである。
【図１４】本発明の実施形態に係る設定情報の選択画面を例示する図である。
【図１５】本発明の実施形態に係る設定情報の選択画面を例示する図である。
【図１６】本発明の実施形態に係る印刷設定画面を例示する図である。
【発明を実施するための形態】
【０００９】
以下、図面を参照して、本発明の実施形態を詳細に説明する。本実施形態においては、用紙等の記録媒体上に画像形成し、画像形成された用紙を中綴じ処理する画像処理システムを例として説明する。なお、記録媒体としては、上述した用紙の他、フィルム、ラスチック等のシート状の材料で、画像形成出力の対象物となるものであれば採用可能である。以降、本実施形態においては、用紙を記録媒体の例として説明する。
【００１０】
図１は、本実施形態に係る画像処理システムの運用形態を例示する図である。図１に示すように、本実施形態に係る画像処理システムは、画像処理装置１及びクライアント端末２がインターネットやＬＡＮ（Ｌｏｃａｌ  Ａｒｅａ  Ｎｅｔｗｏｒｋ）等のネットワークを介して接続されて構成される。
【００１１】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。クライアント端末２は、ユーザが操作する情報処理端末であり、ＰＣ（Ｐｅｒｓｏｎａｌ  Ｃｏｍｐｕｔｅｒ）等の情報処理装置によって実現される。画像処理装置１における画像形成出力や中綴じ処理は、クライアント端末２にインストールされたプリンタドライバを介して実行される。
【００１２】
次に、本実施形態に係る画像処理装置１及びクライアント端末２のハードウェア構成を説明する。図２は、本実施形態に係る画像処理装置１のハードウェア構成を例示するブロック図である。なお、画像処理装置１は、図２に示すハードウェア構成に加えて、スキャナ、プリンタ等を実現するためのエンジンを備える。また、以下の説明においては、画像処理装置１のハードウェア構成を例として説明するが、クライアント端末２についても同様である。
【００１３】
図２に示すように、本実施形態に係る画像処理装置１は、一般的なサーバやＰＣ（Ｐｅｒｓｏｎａｌ  Ｃｏｍｐｕｔｅｒ）等と同様の構成を含む。すなわち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続された構成である。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１４】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。なお、ＨＤＤの他、ＳＳＤ（Ｓｏｌｉｄ  Ｓｔａｔｅ  Ｄｒｉｖｅ）等の半導体記憶装置を用いても良い。
【００１５】
Ｉ／Ｆ５０は、バス８０と各種のハードウェアやネットワーク等を接続し制御する。ＬＣＤ６０は、使用者が画像処理装置１の状態を確認するための視覚的ユーザインタフェースである。操作部７０は、キーボード、マウス、各種のハードボタン、タッチパネル等、使用者が画像処理装置１に情報を入力するためのユーザインタフェースである。
【００１６】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理装置１の機能を実現する機能ブロックが構成される。
【００１７】
次に、本実施形態に係る画像処理装置１の機能について説明する。図３は、本実施形態に係る画像処理装置１の機能構成を例示するブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６、ネットワークＩ／Ｆ１１７及び中綴じユニット１１８を有する。
【００１８】
また、コントローラ１００は、主制御部１０１、エンジン制御部１０２、入出力制御部１０３、画像処理部１０４、操作表示制御部１０５及びジョブ履歴記憶部１０６を有する。図３に示すように、本実施形態に係る画像処理装置１は、スキャナユニット１１１、プリントエンジン１１５を有する複合機として構成されている。なお、図３においては、電気的接続を実線の矢印で示しており、用紙の流れを破線の矢印で示している。
【００１９】
ディスプレイパネル１１３は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１１７は、画像処理装置１がネットワークを介して管理者用端末等の他の機器と通信するためのインタフェースである。ネットワークＩ／Ｆ１１７は、Ｅｔｈｅｒｎｅｔ（登録商標）、ＵＳＢ、Ｂｌｕｅｔｏｏｔｈ（登録商標）、Ｗｉ−Ｆｉ（Ｗｉｒｅｌｅｓｓ  Ｆｉｄｅｌｉｔｙ）等のインタフェースが用いられる。
【００２０】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされる。そして、それらのプログラムに従ってＣＰＵ１０が演算を行うことにより構成されるソフトウェア制御部と集積回路などのハードウェアとによってコントローラ１００が構成される。
【００２１】
主制御部１０１は、コントローラ１００に含まれる各部を制御する役割を担い、コントローラ１００の各部に命令を与える。エンジン制御部１０２は、プリントエンジン１１５やスキャナユニット１１１等を制御若しくは駆動する駆動手段としての役割を担う。入出力制御部１０３は、ネットワークＩ／Ｆ１１７を介して入力される信号や命令を主制御部１０１に入力する。また、主制御部１０１は、入出力制御部１０３を制御し、ネットワークＩ／Ｆ１１７を介して他の装置にアクセスする。
【００２２】
画像処理部１０４は、主制御部１０１の制御に従い、印刷出力すべき画像情報に基づいて描画情報を生成する。この描画情報とは、プリントエンジン１１５が画像形成動作において形成すべき画像を描画するための情報である。また、画像処理部１０４は、スキャナユニット１１１から入力される撮像データを処理し、画像データを生成する。
【００２３】
この画像データとは、スキャナ動作の結果物として画像処理装置１に格納され若しくはネットワークＩ／Ｆ１１７を介して他の機器に送信される情報である。操作表示制御部１０５は、ディスプレイパネル１１３に情報表示を行い若しくはディスプレイパネル１１３を介して入力された情報を主制御部１０１に通知する。
【００２４】
ジョブ履歴記憶部１０６は、後述するクライアント端末２からネットワークＩ／Ｆ１１７を介してこれまでに取得した印刷ジョブにおいて指定されている設定情報を格納する記憶媒体である。ジョブ履歴記憶部１０６が格納する設定情報の詳細は後述する。
【００２５】
なお、プリンタ機能のみを有する画像処理装置の場合、図３に示すＡＤＦ１１０、スキャナユニット１１１及び排紙トレイ１１２が省略されると共に、エンジン制御部１０２の機能から、ＡＤＦ１１０、スキャナユニット１１１及び排紙トレイ１１２を制御するための機能が省略される。
【００２６】
画像処理装置１がプリンタとして動作する場合は、まず、入出力制御部１０３がネットワークＩ／Ｆ１１７を介して印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。
【００２７】
また、印刷ジョブにおいて面付けのタイプとして「中綴じ」が指定されている場合、主制御部１０１は、画像処理部１０４を制御して中綴じ用の面付けが施された描画情報を生成する。また、印刷ジョブにおいて中綴じ用の値が設定されている場合、主制御部１０１は、画像処理部１０４を制御して、設定されている中綴じ用の値に基づいて、画像形成出力用の画像を処理して描画情報を生成する。中綴じ用の値に基づく描画情報の生成の詳細は後述する。
【００２８】
画像処理部１０４によって描画情報が生成されると、エンジン制御部１０２は、生成された描画情報に基づき、給紙テーブル１１４から搬送される用紙に対して画像形成を実行する。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００２９】
また、プリントエンジン１１５によって画像形成が施された文書（以降、「印刷済用紙」とする）の中綴じ処理を行う場合、この印刷済用紙は、中綴じユニット１１８に排紙される。エンジン制御部１０２は、中綴じユニット１１８を制御して排紙されている印刷済用紙に対して中綴じを実行する。また、印刷ジョブにおいて小口断裁処理のための断裁値が指定されている場合、エンジン制御部１０２は、中綴じユニット１１８を制御して断裁値に基づく小口断裁処理を実行する。小口断裁処理は、中綴じされた状態においてページの端部（以降、「小口側」とする）を揃えるために小口側を断裁する動作である。
【００３０】
画像処理装置１がスキャナ、すなわち画像読取装置として動作する場合は、スキャン実行指示に応じて、操作表示制御部１０５若しくは入出力制御部１０３が主制御部１０１にスキャン実行信号を転送する。スキャン実行指示は、ユーザによるディスプレイパネル１１３の操作若しくはネットワークＩ／Ｆ１１７を介して外部の機器から入力される。主制御部１０１は、受信したスキャン実行信号に基づき、エンジン制御部１０２を制御する。
【００３１】
エンジン制御部１０２は、ＡＤＦ１１０を駆動し、ＡＤＦ１１０にセットされた撮像対象原稿をスキャナユニット１１１に搬送する。また、エンジン制御部１０２は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０２の制御に従い、セットされた原稿を撮像する。即ち、スキャナユニット１１１が撮像部として動作する。
【００３２】
撮像動作においては、スキャナユニット１１１に含まれるＣＣＤ等の撮像素子が原稿を光学的に走査し、光学情報に基づいた撮像情報が生成される。エンジン制御部１０２は、スキャナユニット１１１が生成した撮像情報を画像処理部１０４に転送する。画像処理部１０４は、主制御部１０１の制御に従い、エンジン制御部１０２から受信した撮像情報に基づき画像情報を生成する。
【００３３】
画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１１７を介して、入出力制御部１０３により外部の装置に送信される。
【００３４】
また、画像処理装置１が複写機として動作する場合は、エンジン制御部１０２がスキャナユニット１１１から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１１５を駆動する。また、プリントエンジン１１５により画像形成が施された文書に対して中綴じ処理が行われる場合も、プリンタ動作と同様な動作となる。
【００３５】
次に、本実施形態に係るクライアント端末２の機能を説明する。図４は、本実施形態に係るクライアント端末２の機能構成を例示するブロック図である。クライアント端末２においては、インストールされたアプリケーション２０１がＯＳ（Ｏｐｅｒａｔｉｏｎ  Ｓｙｓｔｅｍ）上で動作することにより、文書作成や画像編集等の機能を提供し、ユーザの操作に応じて、印刷出力するべき画像の元となる情報を提供する。
【００３６】
アプリケーション２０１は、ユーザの操作に応じてプリンタドライバ２１０のＵＩ（Ｕｓｅｒ  Ｉｎｔｅｒｆａｃｅ）部２１１を起動する。また、アプリケーション２０１は、ＵＩ部２１１のＧＵＩ（Ｇｒａｐｈｉｃａｌ  ＵＩ）を介して設定される印刷出力の設定情報をＤＥＶＭＯＤＥ構造体と呼ばれる情報形式で取得する。
【００３７】
アプリケーション２０１若しくはアプリケーション２０１によって起動されたＵＩ部２１１に対してユーザの操作により印刷実行命令が入力されると、アプリケーション２０１は、ＧＤＩ（Ｇｒａｐｈｉｃｓ  Ｄｅｖｉｃｅ  Ｉｎｔｅｒｆａｃｅ）２０２を起動する。そして、アプリケーション２０１は、ＵＩ部２１１を介して設定されたＤＥＶＭＯＤＥ構造体及び出力するべき画像の情報をＧＤＩ２０２へ受け渡す。
【００３８】
ＧＤＩ２０２は、一般的に基本ソフトであるＯＳに組み込まれた描画エンジンである。ＧＤＩ２０２は、ＤＤＩ（Ｄｅｖｉｃｅ  Ｄｒｉｖｅｒ  Ｉｎｔｅｒｆａｃｅ）を介してプリンタドライバ２１０のグラフィック部２１２を起動し、処理を受け渡す。
【００３９】
グラフィック部２１２は、ＧＤＩ２０２によってＯＳの内部命令として出力された画像データを、印刷出力を実行させる対象の画像処理装置１が処理可能なデータ形式であるＰＤＬ（Ｐａｇｅ  Ｄｅｓｃｒｉｐｔｉｏｎ  Ｌａｎｇｕａｇｅ）形式のデータに変換する。ＰＤＬ形式のデータは、画像処理装置１に印刷を実行させるための印刷ジョブである。グラフィック部２１２は、ＰＤＬ形式に変換したデータを順次スプーラー２０３に受け渡す。
【００４０】
スプーラー２０３は、グラフィック部２１２によって生成されたＰＤＬ形式のデータを、スプールファイル２０４として記憶媒体に一次的に記憶させる。これにより、グラフィック部２１２がＰＤＬデータを生成した後、画像処理装置１がＰＤＬデータを受け付けられない状態であったとしても、プリンタドライバ２１０は生成したＰＤＬデータをスプーラー２０３に渡して次の処理にすぐに移り、処理を効率化できる。
【００４１】
スプールファイル２０４として記憶媒体に記憶されたＰＤＬデータは、プリンタプロセッサ２０５によって再度スプーラー２０３に受け渡され、ポートモニタ２０６により、ネットワークを介して画像処理装置１に送信される。
【００４２】
このような画像処理システムにおいて、中綴じ処理の対象となる用紙の種類、サイズ、厚さ等の用紙属性及び過去に用いられた印刷ジョブの設定情報に基づいて、中綴じ処理に関する値を適切に設定することが本実施形態の要旨である。以下、中綴じ処理に関する値の設定処理を説明する。
【００４３】
図５は、画像処理装置１のジョブ履歴記憶部１０６に格納されている設定履歴情報を例示する図である。設定履歴情報は、画像処理装置１が過去に受信した印刷ジョブにおいて指定されている設定情報の履歴である。例えば、図５に示すように、設定履歴情報は、印刷ジョブを識別する“ジョブＩＤ”と、“用紙ＩＤ”、“用紙種類”、“用紙サイズ”、“用紙厚さ”、“ページ数”、“面付けタイプ”、“クリープ値”及び“断裁値”とが印刷ジョブごとに関連付けられたテーブルである。
【００４４】
“用紙ＩＤ”は、印刷ジョブにおいて指定された用紙属性を識別するための識別情報である。用紙属性は、例えば、図５に示した“用紙種類”、“用紙サイズ”及び“用紙厚さ”を含む。“用紙種類”は、用紙の種類を示す情報であり、例えば、「普通紙」、「透明シート」、「封筒」である。“用紙サイズ”は、用紙のサイズを示す情報であり、例えば、「Ａ４」、「Ａ３」、「Ｂ５」、「ユーザ定義（ユーザにより指定されたサイズ）」であり、“用紙厚さ”は、用紙の厚さを示す情報である。すなわち、同一の用紙ＩＤでは、“用紙種類”、“用紙サイズ”及び“用紙厚さ”がすべて同一であり、用紙属性が同一である。
【００４５】
“ページ数”は、印刷ジョブに基づいて画像形成出力されるページ数を示す。“面付けタイプ”は、面付けのタイプを示す情報であり、例えば“面付けタイプ”が「中綴じ」である場合、画像処理部１０４は、中綴じ処理を行う前提で画像形成出力を行うよう各ページの画像情報を配置する。
【００４６】
“クリープ値”及び“断裁値”は、中綴じ用の設定値であり、これらの値を用紙属性に応じて適切に設定することが本実施形態の要旨である。図６は、雑誌等の中綴じ冊子を模式的に示す断面図である。図６に示すように、雑誌等の中綴じ冊子を綴じた状態において、中綴じ冊子の小口側が不揃いになる。
【００４７】
そこで、小口側（中綴じされた用紙の綴じ側とは逆側の端部）を揃えるために、例えば、図６に示した太線の位置で小口側を断裁する処理（以降、「小口断裁処理」とする）が行われる。“断裁値”は、小口断裁処理において断裁する用紙幅（断裁量）であり、適切に設定された場合、表紙／裏表紙ページの端部とセンターページの端部とのずれ量である。
【００４８】
図７は、表紙ページとセンターページとの印刷領域の位置のずれ量を例示する図である。上述したように、雑誌等の中綴じ冊子を閉じた状態において、中綴じ冊子の小口側がずれるので、すべてのページにおいて印刷領域の位置を同じにすると、中綴じ冊子ではセンターページほど小口側に画像がずれているように見える。
【００４９】
そこで、中綴じ冊子において印刷領域（画像形成領域）の位置が揃うように、表紙／裏表紙ページからセンターページに近づくに従って印刷領域の位置を内側にずらす処理（以降、「クリープ処理」とする）が行われる。“クリープ値”は、クリープ処理による表紙ページ（中綴じされた最も外側の記録媒体）とセンターページ（中綴じされた最も内側の記録媒体）との印刷領域のずれ量であり、例えば、図７に斜線で示した長方形の短辺の長さである。なお、図５に示した設定履歴情報においては、“クリープ値”及び“断裁値”の単位を「インチ」とする場合を例として説明するが、長さの単位であれば他の単位であってもよい。
【００５０】
次に、クライアント端末２のＵＩ部２１１の機能のうちクリープ値の設定に関する機能を説明する。図８は、本実施形態に係るクライアント端末２のＵＩ部２１１のクリープ値の設定に関する機能構成を例示するブロック図である。図８に示すように、ＵＩ部２１１は、表示制御部２２１、クリープ値算出部２２２、ジョブ履歴取得部２２３及びジョブ履歴記憶部２２４を含む。
【００５１】
表示制御部２２１は、印刷に関する各種設定を行うための印刷設定画面をクライアント端末２の表示部であるＬＣＤ６０に表示させる設定表示制御部として機能する。図９は、表示制御部２２１によりクライアント端末２のＬＣＤ６０に表示される印刷設定画面を例示する図である。図９に示すように、印刷設定画面は、「面付け・製本」に関する項目が含まれる。例えば、図９に斜線で示すように、ユーザが「面付け・製本」の項目を選択すると、「面付け・製本」に関する値の設定画面が表示される。
【００５２】
図９に示すように、「面付け・製本」に関する値の設定画面は、例えば、面付けタイプを指定するラジオボタン、用紙ＩＤ、用紙種類、用紙サイズ、用紙厚さを指定するプルダウンメニュー、クリープ値を設定する数値入力領域、おすすめ設定取得ボタンを含む。ユーザは、面付けタイプを指定するラジオボタンにより、例えば、「普通」又は「中綴じ」の面付けタイプを選択する。ユーザは、「中綴じ」の面付けタイプを選択した場合に、図９に示した各情報を指定する。
【００５３】
図９に示した用紙ＩＤ、用紙種類、用紙サイズ、用紙厚さ及びクリープ値は、それぞれ図５に示した設定履歴情報に含まれる“用紙ＩＤ”、“用紙種類”、“用紙サイズ”、“用紙厚さ”及び“クリープ値”に対応する。クリープ値の設定の際に、図９に示した「おすすめ設定取得」ボタンが押下されると、クリープ値算出部２２２によりクリープ値が算出される。
【００５４】
また、「おすすめ設定取得」ボタンが押下されると、クリープ値算出部２２２によるクリープ値の算出に用いられる総ページ数の入力画面がクライアント端末２のＬＣＤ６０に表示される。図１０は、総ページ数入力画面を例示する図である。ユーザが図１０に示した総ページ数入力画面において、画像形成出力対象の総ページ数を指定すると、クリープ値算出部２２２に総ページ数が入力される。
【００５５】
クリープ値算出部２２２は、指定された用紙属性、総ページ数及び後述するジョブ履歴記憶部２２４に格納されている過去の設定情報に基づいてクリープ値を算出し、図９に示した印刷設定画面のクリープ値の数値入力領域に入力する。すなわち、クリープ値算出部２２２は、中綴じ対象の記録媒体に対する中綴じ用の設定値を算出する設定値算出部として機能する。クリープ値算出部２２２によるクリープ値の設定が本実施形態の要旨であり、設定処理の詳細は後述する。
【００５６】
ジョブ履歴取得部２２３は、画像処理装置１からネットワークＩ／Ｆ１１７を介してジョブ履歴記憶部１０６に格納されている設定履歴情報を取得し、ジョブ履歴記憶部２２４に記憶させる。すなわち、ジョブ履歴取得部２２３は、設定履歴情報を取得する設定履歴情報取得部として機能する。
【００５７】
具体的には、例えば、ジョブ履歴取得部２２３は、まず、画像処理装置１に対してジョブ履歴記憶部１０６に格納されている設定履歴情報のジョブＩＤの一覧を要求して取得する。そして、ジョブ履歴取得部２２３は、取得したジョブＩＤの一覧に含まれるジョブＩＤごとに、画像処理装置１に対してジョブＩＤと関連付けられた設定情報を要求して取得する。
【００５８】
次に、クリープ値算出部２２２によるクリープ値の算出処理の詳細を説明する。図１１は、クリープ値算出部２２２によるクリープ値の算出処理の動作を例示するフローチャートである。図１１に示すように、クリープ値算出部２２２は、図９に示した印刷設定画面において指定された用紙属性（用紙ＩＤ、用紙種類、用紙サイズ、用紙厚さ）を取得する（Ｓ１１０１）。
【００５９】
また、クリープ値算出部２２２は、図１０に示した総ページ数入力画面において指定された総ページ数を取得する（Ｓ１１０２）。なお、Ｓ１１０１の処理とＳ１１０２の処理とは前後関係の制約はなく、逆の順序で実行されてもよいし並列に実行されてもよい。
【００６０】
用紙属性を取得したクリープ値算出部２２２は、ジョブ履歴記憶部２２４に格納されている設定履歴情報の中に、“面付けタイプ”が「中綴じ」であり、取得した用紙属性に含まれる用紙ＩＤが同一である設定情報が存在するか否かを判定する（Ｓ１１０３）。なお、以降、“面付けタイプ”が「中綴じ」である設定情報を「中綴じ用設定情報」とする。
【００６１】
用紙ＩＤが同一である中綴じ用設定情報が存在する場合（Ｓ１１０３／ＹＥＳ）、クリープ値算出部２２２は、用紙ＩＤが同一である中綴じ用設定情報に基づいてクリープ値を算出する（Ｓ１１０４）。用紙ＩＤが同一である中綴じ用設定情報に基づくクリープ値の算出処理の詳細は後述する。
【００６２】
一方、用紙ＩＤが同一である中綴じ用設定情報が存在しない場合（Ｓ１１０３／ＮＯ）、クリープ値算出部２２２は、用紙種類、用紙サイズ、用紙厚さ等の個別の用紙属性に基づいてクリープ値を算出する（Ｓ１１０５）。個別の用紙属性に基づくクリープ値の算出処理の詳細は後述する。
【００６３】
次に、用紙ＩＤが同一である中綴じ用設定情報に基づくクリープ値の算出処理（Ｓ１１０４）の詳細を説明する。図１２は、クリープ値算出部２２２による用紙ＩＤが同一の中綴じ用設定情報に基づくクリープ値の算出処理の動作を例示するフローチャートである。図１２に示すように、クリープ値算出部２２２は、ジョブ履歴記憶部２２４に格納されている設定履歴情報の中から、取得した用紙ＩＤと同一の用紙ＩＤを含む中綴じ用設定情報を取得する（Ｓ１２０１）。
【００６４】
用紙ＩＤが同一の中綴じ用設定情報を取得したクリープ値算出部２２２は、取得した設定情報の数が１つであるか否かを判定する（Ｓ１２０２）。取得した設定情報の数が１つである場合（Ｓ１２０２／ＹＥＳ）、クリープ値算出部２２２は、取得した設定情報における“クリープ値”の値を、図９に示したクリープ値の数値入力領域に設定する（Ｓ１２０３）。
【００６５】
一方、取得した設定情報の数が複数である場合（Ｓ１２０２／ＮＯ）、クリープ値算出部２２２は、取得した設定情報のうち、設定情報における“ページ数”の値がＳ１１０２の処理において取得した総ページ数と最も近い設定情報を取得する（Ｓ１２０４）。総ページ数が最も近い設定情報を取得したクリープ値算出部２２２は、取得した設定情報の数が１つであるか否かを判定する（Ｓ１２０５）。
【００６６】
取得した設定情報の数が１つである場合（Ｓ１２０５／ＹＥＳ）、クリープ値算出部２２２は、Ｓ１２０４の処理において取得した設定情報における“クリープ値”の値を、図９に示したクリープ値の数値入力領域に設定する（Ｓ１２０６）。一方、設定情報の数が複数である場合（Ｓ１２０５／ＮＯ）、クリープ値算出部２２２は、Ｓ１２０４の処理において取得した複数の設定情報それぞれにおける“クリープ値”の値の平均を、図９に示したクリープ値の数値入力領域に設定する（Ｓ１２０７）。
【００６７】
次に、個別の用紙属性に基づくクリープ値の算出処理（Ｓ１１０５）の詳細を説明する。図１３は、クリープ値算出部２２２による個別の用紙属性に基づくクリープ値の算出処理の動作を例示するフローチャートである。図１３に示すように、クリープ値算出部２２２は、ジョブ履歴記憶部２２４に格納されている設定履歴情報の中に、Ｓ１１０１の処理において取得した用紙属性に含まれる用紙サイズが同一である中綴じ用設定情報が存在するか否かを判定する（Ｓ１３０１）。
【００６８】
用紙サイズ同一の中綴じ用設定情報が存在する場合（Ｓ１３０１／ＹＥＳ）、クリープ値算出部２２２は、用紙サイズ同一の中綴じ用設定情報のうち、“ページ数”の値がＳ１１０２の処理において取得した総ページ数と最も近い設定情報を取得する（Ｓ１３０２）。一方、用紙サイズが同一である中綴じ用設定情報が存在しない場合（Ｓ１３０１／ＮＯ）、クリープ値算出部２２２は、Ｓ１１０１の処理において取得した用紙属性に含まれる用紙厚さが同一である中綴じ用設定情報が存在するか否かを判定する（Ｓ１３０３）。
【００６９】
用紙厚さが同一である中綴じ用設定情報が存在する場合（Ｓ１３０３／ＹＥＳ）、クリープ値算出部２２２は、用紙厚さ同一の中綴じ用設定情報のうち、“ページ数”の値がＳ１１０２の処理において取得した総ページ数と最も近い設定情報を取得する（Ｓ１３０４）。一方、用紙厚さが同一である中綴じ用設定情報が存在しない場合（Ｓ１３０３／ＮＯ）、クリープ値算出部２２２は、Ｓ１１０１の処理において取得した用紙属性に含まれる用紙種類が同一である中綴じ用設定情報が存在するか否かを判定する（Ｓ１３０５）。
【００７０】
用紙種類が同一である中綴じ用設定情報が存在する場合（Ｓ１３０５／ＹＥＳ）、クリープ値算出部２２２は、用紙種類同一の中綴じ用設定情報のうち、“ページ数”の値がＳ１１０２の処理において取得した総ページ数と最も近い設定情報を取得する（Ｓ１３０６）。Ｓ１３０２の処理、Ｓ１３０４の処理及びＳ１３０６の処理のいずれかにおいて総ページ数が最も近い設定情報を取得したクリープ値算出部２２２は、取得した設定情報の数が１つであるか否かを判定する（Ｓ１３０７）。
【００７１】
取得した設定情報の数が１つである場合（Ｓ１３０７／ＹＥＳ）、クリープ値算出部２２２は、取得した設定情報における“クリープ値”の値を、図９に示したクリープ値の数値入力領域に設定する（Ｓ１３０８）。一方、取得した設定情報の数が複数である場合（Ｓ１３０７／ＮＯ）、クリープ値算出部２２２は、取得した複数の設定情報それぞれにおける“クリープ値”の値の平均を、図９に示したクリープ値の数値入力領域に設定する（Ｓ１３０９）。
【００７２】
一方、用紙種類同一の中綴じ用設定情報が存在しない場合（Ｓ１３０５／ＮＯ）、クリープ値算出部２２２は、ジョブ履歴記憶部２２４に格納されているすべての設定情報それぞれにおける“クリープ値”の値の平均を、図９に示したクリープ値の数値入力領域に設定する（Ｓ１３１０）。
【００７３】
なお、本実施形態においては、クリープ値算出部２２２によるクリープ値の算出を具体例として説明したが、断裁値についても同様に算出可能である。その他、断裁値は、クリープ値算出部２２２により算出されたクリープ値から、中綴じ冊子を綴じた状態における表紙ページとセンターページとの小口側のずれ量を計算することにより取得されてもよい。
【００７４】
なお、図１３に示した処理においては、クリープ値算出部２２２が用紙サイズ、用紙厚さ、用紙種類の順に、同一の中綴じ用設定情報が存在するか否かを判定する場合を例として説明した。しかしながら、これは一例であり、クリープ値算出部２２２は、異なる順序で、同一の中綴じ用設定情報が存在するか否かを判定してもよいし、２つ以上の用紙属性の組み合わせが同一の中綴じ用設定情報が存在するか否かを判定してもよい。
【００７５】
また、クリープ値算出部２２２は、個別の用紙属性について、同一の中綴じ用設定情報が存在しない場合であっても、用紙属性が近似する中綴じ用設定情報が存在する場合には、近似する中綴じ用設定情報に基づいてクリープ値を算出してもよい。例えば、クリープ値算出部２２２は、用紙厚さに基づいて中綴じ用設定情報を取得する場合、取得した用紙厚さから所定の値以内の用紙厚さである中綴じ用設定情報に基づいてクリープ値を算出する。すなわち、クリープ値算出部２２２は、用紙サイズ、厚さ、種類の少なくとも１つがが取得した用紙のサイズ、厚さ、種類を基準とした所定の近似範囲内である過去の設定情報に基づいてクリープ値を算出する。
【００７６】
また、クリープ値算出部２２２は、用紙サイズ、用紙厚さ、用紙種類の各値を数値化し、これらの数値の合計と最も近似する、あるいは数値の合計から所定の値以内の中綴じ用設定情報に基づいてクリープ値を算出してもよい。
【００７７】
以上説明したように、本実施形態に係る画像処理システムにおいては、中綴じ用の過去の設定情報及び中綴じ対象の記録媒体の属性に基づいて、記録媒体に対する中綴じ用の設定値を算出する。これにより、ユーザが出力結果に応じて手動で調整することなく、記録媒体の属性に応じて過去に用いられた設定値を中綴じ用の設定値とすることができるので、中綴じ処理に関する値を適切に設定する際の手間を軽減することが可能になる。
【００７８】
なお、上記実施形態においては、設定履歴情報の中から用紙属性に基づいて取得された設定情報が複数である場合、図１０に示した総ページ数入力画面において指定された総ページ数に基づいて、取得した複数の設定情報をさらに絞り込む場合を例として説明した。その他、取得された設定情報が複数である場合に、表示制御部２２１は、複数の設定情報から使用する設定情報を選択するための選択画面をクライアント端末２のＬＣＤ６０に表示するようにしてもよい。
【００７９】
図１４は、設定情報を選択するための選択画面を例示する図である。図１４に示すように、選択画面には、クリープ値算出部２２２により取得された設定情報が複数である場合、取得された設定情報の一覧が表示される。なお、図１４に示した設定画面においては、設定情報に含まれる情報のうち選択に関連する情報のみが表示されているが、設定情報に含まれる他の情報が表示されてもよい。
【００８０】
図１４に示した選択画面において、ユーザが使用したい設定情報（図１４に示した場合においては斜線でハッチングされた設定情報）を選択し、ＯＫボタンを押下すると、クリープ値算出部２２２は、選択された設定情報におけるクリープ値を取得する。そして、クリープ値算出部２２２は、取得したクリープ値を図９に示したクリープ値の数値入力領域に設定する。
【００８１】
このような構成により、クリープ値算出部２２２は、取得した設定情報が複数である場合に、中綴じ処理対象の用紙の総ページ数をユーザが予め指定することなく、使用するクリープ値を取得することが可能になる。この場合、表示制御部２２１は、複数の設定情報の一覧を表示部に表示させる一覧表示制御部として機能する。
【００８２】
その他、上述した設定情報の選択画面を、過去に使用された回数が多い順に設定情報をソートして表示してもよい。図１５は、使用回数が多い順に設定画面をソートした選択画面を例示する図である。図１５に示すように、選択画面に表示されている設定情報は、過去の使用回数が多い順にソートされている。
【００８３】
過去の使用回数が多い設定情報に含まれるクリープ値は適切である可能性が高いので、このような構成により、ユーザが適切なクリープ値を設定しやすくなる。なお、図１５に示した選択画面においては、設定情報ごとの使用回数が表示される場合を例として説明した。しかしながら、例えば使用回数の多い順に設定情報がソートされていることをユーザが認識している場合は、使用回数の表示は必須ではない。
【００８４】
また、図１４及び図１５に示した選択画面においては、クリープ値のみが選択される場合を例として説明したが、設定情報に含まれる断裁値も同様に選択画面に表示されて選択されてもよい。
【００８５】
また、上述した図９に示した印刷設定画面において、クリープ値の過去の設定範囲が表示されてもよい。図１６は、クリープ値の過去の設定範囲を表示する印刷設定画面を例示する図である。図１６に示した印刷設定画面においては、例えば、クリープ値の数値入力領域の上に、過去の設定範囲が表示されている。この場合、例えば、表示制御部２２１は、ジョブ履歴記憶部２２４に格納されている設定履歴情報の中から中綴じ用設定情報における“クリープ値”の最小値及び最大値を取得して、過去の設定範囲として表示する。
【００８６】
このような構成により、ユーザは過去の設定範囲を参照してより適切な中綴じ処理に関する値を設定することが可能になる。なお、本実施形態において、表示制御部２２１は、ジョブ履歴記憶部２２４に格納されているすべての中綴じ用設定情報に基づいて過去の設定範囲を取得する場合を例として説明した。その他、印刷設定画面において指定されている用紙属性に基づいて取得された中綴じ用設定情報における“クリープ値”の最小値及び最大値を取得して、過去の設定範囲として表示してもよい。
【００８７】
また、図１６に示した印刷設定画面においては、クリープ値の設定のみを例として説明しているが、同様に断裁値の設定可能にしてもよい。
【００８８】
また、上記実施形態において、ジョブ履歴取得部２２３は、画像処理装置１のジョブ履歴記憶部１０６に記憶されているすべての設定履歴情報を取得する場合を例として説明した。その他、ジョブ履歴取得部２２３は、画像処理装置１に対して、ジョブ履歴記憶部１０６に記憶されている設定履歴情報のうち“面付けタイプ”が「中綴じ」である設定履歴情報を要求して取得するようにしてもよい。
【００８９】
このような構成により、ジョブ履歴記憶部２２４には必要な設定履歴情報のみが格納されるので、使用される記憶領域を軽減させることができる。また、このような構成により、クリープ値算出部２２２は、ジョブ履歴記憶部２２４から“面付けタイプ”が「中綴じ」である設定情報のみを取得する処理を行うことなく、クリープ値を算出することができるので、処理を効率化することができる。
【００９０】
また、上記実施形態において、クリープ値算出部２２２は、個別の用紙属性のいずれかと同一の設定情報がない場合に、ジョブ履歴記憶部２２４に格納されているすべての設定情報おけるクリープ値の平均を算出する場合を例として説明した。その他、個別の用紙属性のいずれかと同一の設定情報がない場合、例えばおまかせ設定が不可である旨を示す通知画面が表示されるようにしてもよい。
【００９１】
また、上記実施形態においては、画像処理装置１の中綴じユニット１１８により中綴じ処理が行われる場合を例として説明した。しかしながら、本実施形態において、画像処理装置１に中綴じユニット１１８が備えられていることは必須ではなく、中綴じ処理が画像処理装置１とは別の中綴じ処理装置により行われてもよいし、手動で行われてもよい。この場合であっても、クリープ値算出部２２２により算出されたクリープ値に基づいて、画像処理部１０４により中綴じ用の面付けが行われる。そのため、中綴じ処理装置や手動により中綴じ処理が行われた場合であっても、ページごとの印刷領域のずれを防止することができる。
【００９２】
また、算出された断裁値が、例えば中綴じ処理装置に送信されることにより、中綴じ処理装置において適切な断裁値により小口断裁処理を行うことが可能になる。また、算出された断裁値が、例えばクライアント端末２のＬＣＤ６０に表示されることにより、手動により適切な断裁値により小口断裁処理を行うことが可能になる。
【００９３】
また、本実施形態においては、図８に示したプリンタドライバ２１０のＵＩ部２１１に含まれる構成部によりクリープ値が算出される場合を例として説明した。しかしながら、このような構成に限らず、クリープ値を算出するための各構成部の全部又は一部は、ＵＩ部２１１とは別の構成や別の装置であってもよい。クリープ値を算出するための各構成部の全部又は一部が別の装置である場合、クライアント端末２及び別の装置を含む情報処理システムが実現される。
【００９４】
また、本実施形態においては、画像処理装置１とクライアント端末２とが別の装置である場合を例として説明したが、クライアント端末２の機能が画像処理装置１と一体となっている構成でもよい。この場合、図９等の各種画面は、画像処理装置１のディスプレイパネル１１３に表示されて、ユーザにより各種の値が指定される。
【００９５】
また、本実施形態に係る画像処理システムには、１台の画像処理装置１が含まれる場合を例として説明した。しかしながら、このような構成に限らず、複数の画像処理装置１が含まれる構成であってもよい。この場合において、例えば画像処理システムに含まれる複数の画像処理装置１がすべて同じ機種であるときは、すべての画像処理装置１において、画像処理部１０４における面付け処理結果や中綴じユニット１１８による中綴じ処理結果は同様である。そのため、ジョブ履歴取得部２２３は、すべての画像処理装置１のジョブ履歴記憶部１０６から設定履歴情報を取得する。
【００９６】
一方、画像処理システムに含まれる複数の画像処理装置１がすべて同じ機種ではない場合、ジョブ履歴取得部２２３は、まず、それぞれの画像処理装置１に対して装置の識別情報を要求して取得する。そして、ジョブ履歴取得部２２３は、取得した識別情報の中から中綴じ処理対象の記憶媒体上に画像形成する画像処理装置１の識別情報と同一の識別情報により識別される画像処理装置１のジョブ履歴記憶部１０６から設定履歴情報を取得する。
【符号の説明】
【００９７】
１  画像処理装置
２  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１０６  ジョブ履歴記憶部
１１０  ＡＤＦ
１１１  スキャナユニット
１１２  排紙トレイ
１１３  ディスプレイパネル
１１４  給紙トレイ
１１５  プリントエンジン
１１６  排紙トレイ
１１７  ネットワークＩ／Ｆ
１１８  中綴じユニット
２０１  アプリケーション
２０２  ＧＤＩ
２０３  スプーラー
２０４  スプールファイル
２０５  プリンタプロセッサ
２０６  ポートモニタ
２１０  プリンタドライバ
２１１  ＵＩ部
２１２  グラフィック部
２２１  表示制御部
２２２  クリープ値算出部
２２３  ジョブ履歴取得部
２２４  ジョブ履歴記憶部
【先行技術文献】
【特許文献】
【００９８】
【特許文献１】特開２００７−００１１１９号公報
【図１】
2016215526.tif 000003
【図２】
2016215526.tif 000004
【図３】
2016215526.tif 000005
【図４】
2016215526.tif 000006
【図５】
2016215526.tif 000007
【図６】
2016215526.tif 000008
【図７】
2016215526.tif 000009
【図８】
2016215526.tif 000010
【図９】
2016215526.tif 000011
【図１０】
2016215526.tif 000012
【図１１】
2016215526.tif 000013
【図１２】
2016215526.tif 000014
【図１３】
2016215526.tif 000015
【図１４】
2016215526.tif 000016
【図１５】
2016215526.tif 000017
【図１６】
2016215526.tif 000018